(57)【要約】【課題】高強度であり、両面に異なる模様のデザインを自在に施すことが可能なパイル織物及びその製造方法を提供することを課題とする。【解決手段】所定本数の緯糸を挿入する毎に、表裏の少なくとも何れか一面にパイル出しをするパイル組織が、複数積層状態に接結してなるパイル織物であって、  前記パイル組織は、外面に突出する外面パイル部及び層間に突出する層間パイル部を形成するパイル経糸を備え、  前記層間パイル部は、前記複数のパイル組織の前記緯糸と交錯する組織状態を有することを特徴とする【選択図】図１
2019007107.tif 000002
【特許請求の範囲】
【請求項１】
所定本数の緯糸を挿入する毎に、表裏の少なくとも何れか一面にパイル出しをするパイル組織が、複数積層状態に接結してなるパイル織物であって、
前記パイル組織は、外面に突出する外面パイル部及び層間に突出する層間パイル部を形成するパイル経糸を備え、
前記層間パイル部は、前記複数のパイル組織の前記緯糸と交錯する組織状態を有することを特徴とする、パイル織物。
【請求項２】
前記パイル組織は、前記パイル経糸を複数備えることを特徴とする、請求項１に記載のパイル織物。
【請求項３】
所定本数の緯糸を挿入する毎に、表裏の少なくとも何れか一面にパイル出しをするパイル組織が、複数積層状態に結合してなる多重パイル織物の製造方法であって、
前記パイル組織が有するパイル経糸により、外面に突出する外パイル部と、層間に突出する層間パイル部と、を形成し、
前記層間パイル部を、前記複数のパイル組織の前記緯糸に交錯させることにより組織することを特徴とする、パイル織物の製造方法。
【発明の詳細な説明】
【技術分野】
【０００１】
本発明は、パイル織物及びその製造方法に係るものである。
【背景技術】
【０００２】
パイル織物とは、表面に突出する輪奈（ループ）状のパイルを複数有するパイル層と、パイル層を保持するベースの生地であるグランド層により形成される織物であり、柔軟性や肌触り、通気性、吸水性等に優れている。
このため、パイル織物は、従来から様々な場面で使用されており、例えば、バスタオルやスポーツタオル、フェイスタオル等、サイズによって多種多様に使い分けられてきた。
【０００３】
また、パイル織物は、パイル層を形成するパイル経糸及びグランド層を形成する地経糸と、緯糸とで組織を作り、テリーモーションと呼ばれる表面にパイルを突出させるための特有の工程を経て製織される。
【０００４】
従来から、上記したパイル経糸を用いた様々な織物が提案されている。
【０００５】
特許文献１には、パイル層及びグランド層を備えた第１両面パイルタオル地と第２両面パイルタオル地を結合経糸により接結することで、積層状態に接結されて製織される多重織物が記載されている。
このような構造により、リバーシブル使用においても表裏から紋様が正像として識別することが可能な多重織物が製織できる。
【０００６】
特許文献２には、中間にグランド層を、グランド層の上下にパイル層を備えており、パイル層の経糸を任意に上下させることで製織される多重織物が記載されている。
このような構造により、任意の位置で任意の層を表出させることができ、任意の柄を任意の色でカラフルに織ることが可能な多重織物が製織できる。
【０００７】
特許文献３には、ガーゼ緯糸とガーゼ経糸の平織組織からなる表布および裏布と、この表裏布間にあって、地緯糸と地経糸の平織組織からなる対向一対の基布間に、パイル経糸を所定の配列で架け渡して地緯糸に交絡させてなる立体中布を備えた、多重織物が記載されている。
このように、基布間をジグザグに渡り結合する、パイル経糸からなる立体構造の中布を備えることで、嵩高になり、保温性や柔軟性、通気性に優れた多重織物が製織できる。
【先行技術文献】
【特許文献】
【０００８】
【特許文献１】特許第４９５９６５４号
【特許文献２】特開２００７−３０３００８号公報
【特許文献３】特許第４８９８８７６号
【発明の概要】
【発明が解決しようとする課題】
【０００９】
しかしながら、特許文献１に記載の多重織物は、２枚の両面パイルタオル地を１本の接結糸で接結しているものである。また、各両面パイルタオル地の裏面のパイル部が、層間に存在していることから、各層が密着できず、内部に隙間が生まれる。これにより、層間のずれが生じやすく、摩擦等の外力に対する堅牢性に乏しい。
【００１０】
また、特許文献２に記載の多重織物は袋状であり、内部に接結部を有していないことから、内部に隙間が生まれる。これにより、層間のずれが生じやすく、摩擦等の外力に対する堅牢性に乏しい。
【００１１】
また、特許文献３に記載の多重織物は、パイルが表面に突出するパイル織物ではなく、パイル経糸が内部にのみ組織されていることから、パイル織物特有の包み込まれるような風合いを有していない。また、両面で表出するのはガーゼ経糸であり、凝った模様や立体感のある模様等を形成できず、デザイン性に乏しい。
【００１２】
本発明は上記のような実状に鑑みてなされたものであり、高強度であり、両面に異なる模様を自在に表現することが可能なパイル織物及びその製造方法を提供することを課題とする。
【課題を解決するための手段】
【００１３】
上記課題を解決するために、本発明は、
所定本数の緯糸を挿入する毎に、表裏の少なくとも何れか一面にパイル出しをするパイル組織が、複数積層状態に接結してなるパイル織物であって、
前記パイル組織は、外面に突出する外面パイル部及び層間に突出する層間パイル部を形成するパイル経糸を備え、
前記層間パイル部は、前記複数のパイル組織の前記緯糸と交錯する組織状態を有することを特徴とする。
【００１４】
本発明によれば、層間パイル部は、複数のパイル組織の緯糸と交錯する組織状態を有することで、接結糸の役割を担うこととなる。これにより、各パイル組織が完全に密着し、一体化されることで、層間のずれが抑制される。即ち、摩擦等の外力に対して、変形しにくく高強度なパイル織物を製織することが可能となる。
また、各パイル組織が備えるパイル経糸は、独立して組織することができるため、パイル織物の両外面において異なる模様を自在に表現することが可能となる。
【００１５】
本発明の好ましい形態では、前記パイル組織は、前記パイル経糸を複数備えることを特徴とする。
【００１６】
このような構成とすることで、パイル織物の外面のある一部分について、表現したい色のパイル経糸を、外面パイル部として突出させ、残りのパイル経糸を、層間パイル部として層間に隠しておくことができる。これにより、複数の色を用いたカラフルな模様を、パイル織物の両外面において、独立して自在に表現することが可能となる。
また、このような構成とすることで、パイル織物が有する全ての緯糸に層間パイル部が組織されるため、接結力が増し、パイル織物がさらに高強度となる。
【００１７】
本発明は、所定本数の緯糸を挿入する毎に、表裏の少なくとも何れか一面にパイル出しをするパイル組織が、複数積層状態に結合してなる多重パイル織物の製造方法であって、
前記パイル組織が有するパイル経糸により、外面に突出する外パイル部と、層間に突出する層間パイル部と、を形成し、
前記層間パイル部を、前記複数のパイル組織の前記緯糸に交錯させることにより組織することを特徴とする。
【発明の効果】
【００１８】
本発明によれば、高強度であり、両面に異なる模様を自在に表現することが可能なパイル織物及びその製造方法を提供することができる。
【図面の簡単な説明】
【００１９】
【図１】本発明の実施形態１に係るパイル織物の部分組織を示すものであって、（ａ）は経拡大断面図、（ｂ）は織組織図である。
【図２】本発明の実施形態２に係るパイル織物の部分組織の経拡大断面図である。
【図３】本発明の実施形態２に係るパイル織物の部分組織の織組織図である。
【発明を実施するための形態】
【００２０】
＜実施形態１＞
以下、図１を用いて、本発明の実施形態１に係るパイル織物Ａについて説明する。なお、以下に示す実施形態は本発明の一例であり、本発明を以下の実施形態に限定するものではない。
【００２１】
図１において、パイル織物Ａは、４本の緯糸を挿入する毎に表裏の何れか一面にパイル出しをするパイル組織Ａ１及びパイル組織Ａ２が積層状態をなすことにより形成されている。このように、１つのパイルを形成するために用いられる緯糸の本数をｐｉｃ数と呼び、パイル組織Ａ１及びパイル組織Ａ２は４ｐｉｃの組織である。ｐｉｃ数はこれに限定されず、３ｐｉｃや５ｐｉｃであっても良い。
【００２２】
パイル組織Ａ１は、パイルを出すためのパイル経糸Ｐ１を備えている。また、パイル経糸Ｐ１を保持するための地経糸Ｇａ１及びＧｂ１を有している。
【００２３】
パイル組織Ａ２は、パイルを出すためのパイル経糸Ｐ２を備えている。また、パイル経糸Ｐ２を保持するための地経糸Ｇａ２及びＧｂ２を有している。
【００２４】
図１（ｂ）は、図１（ａ）のように組織された織物の織組織図である。
織組織図とは、升目を用いて各緯糸と各経糸との上下関係を示した図のことで、各経糸が、緯糸に対してどのように組織されているのかを把握することができる。図１（ｂ）において、右端の列から順番に、Ｐ１、Ｇａ１、Ｇｂ１、Ｐ２、Ｇａ２、Ｇｂ２の浮沈状態を示している。図１（ａ）において、経糸が、緯糸よりも右側に存在する場合は升目に白丸が示され、緯糸よりも左側に存在する場合は空白の升目として示される。
【００２５】
また、パイル組織Ａ１及びパイル組織Ａ２は、４ｐｉｃの組織であるから、４本ごとにまとめられた緯糸ａ〜ｈを備えており、図１（ａ）において、緯糸ａ〜ｈは、全て白丸で示している。例えば緯糸ａは、下方から順番に第一緯糸ａ１、第二緯糸ａ２、第三緯糸ａ３、第四緯糸ａ４というように区別される。
【００２６】
ここで、パイル織物Ａの表面及び裏面を何れも外面と称し、パイル組織Ａ１及びＡ２の間の領域を層間と称することとすると、パイル経糸Ｐ１は、外面に突出する外面パイル部Ｐｏ１と、層間に突出する層間パイル部Ｐｉ１と、を有している。
また、パイル組織Ａ２も、パイル組織Ａ１と同様に、外面に突出する外面パイル部Ｐｏ２と、層間に突出する層間パイル部Ｐｉ２と、を有している。
【００２７】
まず、パイル経糸Ｐ１及びＰ２の浮沈状態について説明する。
【００２８】
パイル経糸Ｐ１は、緯糸ａ〜ｄまでが外面パイル部Ｐｏ１、緯糸ｅ〜ｈまでが層間パイル部Ｐｉ１である。
【００２９】
外面パイル部Ｐｏ１に関して、パイル経糸Ｐ１は、第一緯糸ａ１と第二緯糸ａ２の間から層間へ沈み、第二緯糸ａ２と第三緯糸ａ３の間から外面へ突出する。次に、第三緯糸ａ３から第一緯糸ｃ１の間を飛ばして、第一緯糸ｃ１と第二緯糸ｃ２の間から層間へ沈み、第二緯糸ｃ２と第三緯糸ｃ３の間から外面へ突出する。次に、第三緯糸ｃ３から第四緯糸ｄ４の間を飛ばして、第四緯糸ｄ４と第一緯糸ｅ１の間から層間へ沈む。
【００３０】
層間パイル部Ｐｉ１に関して、パイル経糸Ｐ１は、第一緯糸ｅ１と第二緯糸ｅ２の間から外面へ浮き出し、この第二緯糸ｅ２と第三緯糸ｅ３の間から層間へ突出する。そして、この第三緯糸ｅ３及び第四緯糸ｅ４を飛ばして、パイル組織Ａ２に移行する。次に、第一緯糸ｆ１と第二緯糸ｆ２の間から外面へ浮き出し、第二緯糸ｆ２と第三緯糸ｆ３の間から層間へ沈むことにより、第二緯糸ｆ２に係止する形で組織される。そして、第三緯糸ｆ３及び第四緯糸ｆ４を飛ばして、パイル組織Ａ１に移行する。以下、緯糸ｇ及び緯糸ｈに対しても、緯糸ｆに対する浮沈状態と同様に組織される。
【００３１】
パイル経糸Ｐ２は、緯糸ｂ〜ｄまでが外面パイル部Ｐｏ２、緯糸ｅ〜ｈまでが層間パイル部Ｐｉ２である。
【００３２】
外面パイル部Ｐｏ２に関して、パイル経糸Ｐ２は、第一緯糸ａ１から第一緯糸ｂ１の間を飛ばして、第一緯糸ｂ１と第二緯糸ｂ２の間から層間へ沈み、第二緯糸ｂ２と第三緯糸ｂ３の間から外面へ突出する。次に、第三緯糸ｂ３から第一緯糸ｄ１の間を飛ばして、第一緯糸ｄ１と第二緯糸ｄ２の間から層間へ沈み、第二緯糸ｄ２と第三緯糸ｄ３の間から外面へ突出する。次に、第三緯糸ｄ３と第四緯糸ｄ４を飛ばして、第四緯糸ｄ４と第一緯糸ｅ１の間から層間へ沈むことで、パイル組織Ａ１に移行する。
【００３３】
層間パイル部Ｐｉ２に関して、パイル経糸Ｐ２は、パイル経糸Ｐ１における層間パイル部Ｐｉ１と同様の浮沈状態で組織される。
【００３４】
パイル経糸Ｐ１及びＰ２は独立して組織できるため、層間パイル部Ｐｉ１と層間パイル部Ｐｉ２の浮沈状態は、必ずしも同様とする必要はなく、例えば、緯糸ｂ〜ｄまでを層間パイル部Ｐｉ２、緯糸ｅ〜ｈまでを外面パイル部Ｐｏ２としても良い。
【００３５】
次に、地経糸Ｇａ１及びＧｂ１の浮沈状態について説明する。地経糸Ｇａ１及びＧｂ１は、パイル経糸Ｐ１を保持するものであり、パイル組織Ａ２に移行せず、緯糸ａ、緯糸ｃ、緯糸ｅ、緯糸ｇに対して組織される。
【００３６】
地経糸Ｇａ１は、第一緯糸ａ１と第二緯糸ａ２の間を飛ばして第二緯糸ａ２と第三緯糸ａ３の間から層間へ沈み、第三緯糸ａ３と第四緯糸ａ４の間から外面へ浮き出す。以下、緯糸ｃ、緯糸ｅ、緯糸ｇに対しても同様の浮沈状態で組織される。地経糸Ｇｂ１は地経糸Ｇａ１と表裏一対となるように、地経糸Ｇａ１とは逆の浮沈状態で緯糸ａ、緯糸ｃ、緯糸ｅ、緯糸ｇに対して組織される。
【００３７】
次に、地経糸Ｇａ２及びＧｂ２の浮沈状態について説明する。地経糸Ｇａ２及びＧｂ２は、パイル経糸Ｐ２を保持するものであり、パイル組織Ａ１に移行せず、緯糸ｂ、緯糸ｄ、緯糸ｆ、緯糸ｈに対して組織される。
【００３８】
地経糸Ｇａ２は、第一緯糸ｂ１と第二緯糸ｂ２の間を飛ばして第二緯糸ｂ２と第三緯糸ｂ３の間から層間へ沈み、第三緯糸ｂ３と第四緯糸ｂ４の間から外面へ浮き出す。以下、緯糸ｄ、緯糸ｆ、緯糸ｈに対しても、緯糸ｂに対する浮沈状態と同様に組織される。地経糸Ｇｂ２は地経糸Ｇａ２と表裏一対となるように、地経糸Ｇａ２とは逆の浮沈状態で緯糸ｂ、緯糸ｄ、緯糸ｆ、緯糸ｈに対して組織される。
【００３９】
本実施形態によれば、層間パイル部Ｐｉ１及びＰｉ２は、パイル組織Ａ１及びＡ２それぞれの緯糸と交錯する組織状態を有することで、接結糸の役割を担うこととなる。これにより、パイル組織Ａ１及びＡ２が完全に密着し、一体化されることで、層間のずれが抑制される。即ち、摩擦等の外力に対して、変形しにくく高強度なパイル織物Ａを製織することが可能となる。
【００４０】
また、パイル組織Ａ１及びＡ２が備えるパイル経糸Ｐ１及びＰ２は、それぞれ独立して組織することができるため、パイル織物Ａの両外面において異なる模様を自在に表現することが可能となる。特に、本実施例においては、パイル織物Ａの外面について、模様を形成する箇所を外面パイル部Ｐｏ１又はＰｏ２として組織することにより、立体感のある模様を自在に表現することが可能となる。
【００４１】
＜実施形態２＞
以下、図２及び図３を用いて、本発明の実施形態２に係るパイル織物について説明する。なお、同実施形態において、先の実施形態と基本的に同一の構成要素については、同一符号を付してその説明を簡略化する。
【００４２】
図２において、本実施形態に係るパイル織物Ａも、４本の緯糸を挿入する毎に表裏の何れか一面にパイル出しをするパイル組織Ａ１及びパイル組織Ａ２が積層状態をなすことにより形成されている。
【００４３】
パイル組織Ａ１は、パイルを出すためのパイル経糸Ｐ１及びＰ３を備えている。また、パイル経糸Ｐ１を保持するための地経糸Ｇａ１及びＧｂ１、パイル経糸Ｐ３を保持するための地経糸Ｇａ３及びＧｂ３を有している。
【００４４】
パイル組織Ａ２は、パイルを出すためのパイル経糸Ｐ２及びＰ４を備えている。また、パイル経糸Ｐ２を保持するための地経糸Ｇａ２及びＧｂ２、パイル経糸Ｐ４を保持するための地経糸Ｇａ４及びＧｂ４を有している。
【００４５】
以上より、パイル組織Ａ１及びＡ２は、それぞれパイル経糸を２本ずつ備えているが、本数はこれに限定されず、３本や４本備えていても良い。
【００４６】
パイル経糸Ｐ３及びＰ４の浮沈状態について説明する。なお、パイル経糸Ｐ１及びＰ２の浮沈状態は実施形態１と同様であるため、説明は省略する。
【００４７】
パイル経糸Ｐ３は、緯糸ａ〜ｄまでが、層間に突出する層間パイル部Ｐｉ３、緯糸ｅ〜ｈまでが、外面に突出する外面パイル部Ｐｏ３である。
【００４８】
層間パイル部Ｐｉ３に関して、パイル経糸Ｐ３は、第一緯糸ａ１と第二緯糸ａ２の間から外面へ浮き出し、第二緯糸ａ２と第三緯糸ａ３の間から層間へ突出する。そして第三緯糸ａ３及び第四緯糸ａ４を飛ばして、パイル組織Ａ２に移行する。次に、第一緯糸ｂ１と第二緯糸ｂ２の間から浮き出し、第二緯糸ｂ２と第三緯糸ｂ３の間から沈むことにより、第二緯糸ｂ２に係止する形で組織される。そして、第三緯糸ｂ３及び第四緯糸ｂ４を飛ばして、パイル組織Ａ１に移行する。以下、緯糸ｃ及び緯糸ｄに対しても、緯糸ｂに対する浮沈状態と同様に組織される。
【００４９】
外面パイル部Ｐｏ３に関して、パイル経糸Ｐ３は、第一緯糸ｅ１と第二緯糸ｅ２の間から層間へ沈み、第二緯糸ｅ２と第三緯糸ｅ３の間から外面へ突出する。次に、第三緯糸ｅ３から第一緯糸ｇ１の間を飛ばして、第一緯糸ｇ１と第二緯糸ｇ２の間から層間へ沈み、この第二緯糸ｇ２と第三緯糸ｇ３の間から外面へ突出する。
【００５０】
パイル経糸Ｐ４は、緯糸ａ〜ｄまでが、層間に突出する層間パイル部Ｐｉ４、緯糸ｅ〜ｈまでが、外面に突出する外面パイル部Ｐｏ４である。
【００５１】
層間パイル部Ｐｉ４に関して、パイル経糸Ｐ４は、パイル経糸Ｐ３における層間パイル部Ｐｉ３と同様の浮沈状態で組織される。
【００５２】
外面パイル部Ｐｏ４に関して、パイル経糸Ｐ４は、第一緯糸ｅ１から第一緯糸ｆ１の間を飛ばして、第一緯糸ｆ１と第二緯糸ｆ２の間から層間へ沈み、第二緯糸ｆ２と第三緯糸ｆ３の間から外面へ突出する。次に、第三緯糸ｆ３から第一緯糸ｈ１の間を飛ばして、第一緯糸ｈ１と第二緯糸ｈ２の間から層間へ沈み、第二緯糸ｈ２と第三緯糸ｈ３の間から外面へ突出する。
【００５３】
地経糸Ｇａ３及びＧｂ３は、地経糸Ｇａ１及びＧｂ１と同様の浮沈状態のため、説明は省略する。また、地経糸Ｇａ４及びＧｂ４は、地経糸Ｇａ２及びＧｂ２と同様の浮沈状態のため、説明は省略する。
【００５４】
本実施形態によれば、パイル織物Ａの外面のある一部分について、表現したい色のパイル経糸を、外面パイル部として突出させ、残りのパイル経糸を、層間パイル部として層間に隠しておくことができる。
【００５５】
即ち、本実施形態の場合、例えば、パイル組織Ａ１において、パイル経糸Ｐ１を赤色、パイル経糸Ｐ３を青色とすると、緯糸ａ〜ｄの部分は、パイル経糸Ｐ１の外面パイル部Ｐｏ１により赤色が表現され、緯糸ｅ〜ｈの部分は、パイル経糸Ｐ３の外面パイル部Ｐｏ３により青色が表現される。
さらに、緯糸ａ〜ｄの部分において、パイル経糸Ｐ３は、層間パイル部Ｐｉ３として、層間に隠れているため、外面に青色は表現されない。緯糸ｅ〜ｈの部分についても同様に、パイル経糸Ｐ１は、層間パイル部Ｐｉ１として、層間に隠れているため、外面に赤色は表現されない。
【００５６】
これにより、複数の色を用いたカラフルな模様を、パイル織物の両外面において、独立して自在に表現することが可能となる。
【００５７】
また、パイル織物Ａが有する緯糸ａ〜ｈ全てに層間パイル部が組織されるため、接結力が増し、パイル織物がさらに高強度となる。
【００５８】
なお、前記実施形態において示した各構成部材の諸形状や寸法等は一例であって、設計要求等に基づき種々変更可能である。
【符号の説明】
【００５９】
Ａ  パイル織物
Ａ１、Ａ２  パイル組織
Ｐ１、Ｐ２、Ｐ３、Ｐ４  パイル経糸
Ｐｏ１、Ｐｏ２、Ｐｏ３、Ｐｏ４  外面パイル部
Ｐｉ１、Ｐｉ２、Ｐｉ３、Ｐｉ４  層間パイル部
Ｇａ１、Ｇｂ１、Ｇａ２、Ｇｂ２、Ｇａ３、Ｇｂ３、Ｇａ４、Ｇｂ４  地経糸
ａ１、ｂ１、ｃ１、ｄ１、ｅ１、ｆ１、ｇ１、ｈ１  第一緯糸
ａ２、ｂ２、ｃ２、ｄ２、ｅ２、ｆ２、ｇ２、ｈ２  第二緯糸
ａ３、ｂ３、ｃ３、ｄ３、ｅ３、ｆ３、ｇ３、ｈ３  第三緯糸
ａ４、ｂ４、ｃ４、ｄ４、ｅ４、ｆ４、ｇ４、ｈ４  第四緯糸
【図１】
2019007107.tif 000003
【図２】
2019007107.tif 000004
【図３】
2019007107.tif 000005